(57)【要約】【課題】少ない回転操作で内容器の付け替えが可能であるとともに内容器の形状をシンプルにできる付け替え容器を提供する。【解決手段】付け替え容器１は、内容器２と外容器３とを有し、外容器３が、解除凸部１５を備える外容器本体５と、外容器本体５に対して相対的に回転可能に外容器本体５の内側に保持される回転部材６とを有し、回転部材６が、内容器２と嵌合する嵌合部１９と、回転部材６を外容器本体５に対して相対的に回転させる回転操作を受ける操作部２１と、回転操作によって解除凸部１５に乗り上げることで、嵌合部１９と嵌合した内容器２を押し上げる弾性片１７とを有する。【選択図】図１
2020138794.tif 000002
【特許請求の範囲】
【請求項１】
内容器と外容器とを有し、
前記外容器が、解除凸部を備える外容器本体と、前記外容器本体に対して相対的に回転可能に前記外容器本体の内側に保持される回転部材とを有し、
前記回転部材が、前記内容器と嵌合する嵌合部と、前記回転部材を前記外容器本体に対して相対的に回転させる回転操作を受ける操作部と、前記回転操作によって前記解除凸部に乗り上げることで、前記嵌合部と嵌合した前記内容器を押し上げる弾性片とを有する付け替え容器。
【請求項２】
前記嵌合部が、前記内容器とスナップ嵌合するスナップ嵌合部を有し、
前記弾性片が、前記解除凸部に乗り上げることで前記内容器を押し上げて前記スナップ嵌合部と前記内容器とのスナップ嵌合を解除する、請求項１に記載の付け替え容器。
【請求項３】
前記嵌合部が、前記弾性片によって前記内容器が押し上げられることにより前記内容器と押圧嵌合する押圧嵌合部を有する、請求項１又は２に記載の付け替え容器。
【請求項４】
前記解除凸部が、前記回転操作によって前記弾性片を乗り上げさせる傾斜部と、前記回転操作により、前記傾斜部に乗り上げた前記弾性片に当接することで、前記弾性片を前記回転操作の回転方向の反対方向に弾性変形させる押圧部とを有する、請求項１〜３のいずれか一項に記載の付け替え容器。
【請求項５】
前記回転部材が、前記回転操作により、前記押圧部によって弾性変形させられた前記弾性片に当接することで、前記回転部材の更なる回転を停止させる停止片を有する、請求項４に記載の付け替え容器。
【発明の詳細な説明】
【技術分野】
【０００１】
本発明は、付け替え容器に関する。
【背景技術】
【０００２】
従来、クリーム状等の内容物を収容するための内容器と、内容器を付け替え可能に収容する外容器とを有する付け替え容器が知られている。このような付け替え容器は、内容器の付け替えを可能とするために、内容器を着脱可能な着脱構造を有する（例えば特許文献１参照）。
【先行技術文献】
【特許文献】
【０００３】
【特許文献１】特開２０１５−３０４５９号公報
【発明の概要】
【発明が解決しようとする課題】
【０００４】
特許文献１に記載される付け替え容器は、着脱構造としてねじ部を有する。このようなねじ部を用いる場合には、通常、内容器の付け替えのために多くの回転操作が必要であり、回転操作の途中で持ち替えが必要になる場合もある。また、ねじ部を用いる場合には、内容器の外周面に雄ねじ部を設ける必要があり、内容器の形状が複雑になる。したがって、少ない回転操作で内容器の付け替えが可能であるとともに内容器の形状をシンプルにできる付け替え容器が望まれている。
【０００５】
本発明の目的は、少ない回転操作で内容器の付け替えが可能であるとともに内容器の形状をシンプルにできる付け替え容器を提供することにある。
【課題を解決するための手段】
【０００６】
本発明の一態様に係る付け替え容器は、内容器と外容器とを有し、前記外容器が、解除凸部を備える外容器本体と、前記外容器本体に対して相対的に回転可能に前記外容器本体の内側に保持される回転部材とを有し、前記回転部材が、前記内容器と嵌合する嵌合部と、前記回転部材を前記外容器本体に対して相対的に回転させる回転操作を受ける操作部と、前記回転操作によって前記解除凸部に乗り上げることで、前記嵌合部と嵌合した前記内容器を押し上げる弾性片とを有する。
【０００７】
本発明に係る付け替え容器は、前記嵌合部が、前記内容器とスナップ嵌合するスナップ嵌合部を有し、前記弾性片が、前記解除凸部に乗り上げることで前記内容器を押し上げて前記スナップ嵌合部と前記内容器とのスナップ嵌合を解除する構成であってもよい。
【０００８】
本発明に係る付け替え容器は、前記嵌合部が、前記弾性片によって前記内容器が押し上げられることにより前記内容器と押圧嵌合する押圧嵌合部を有する構成であってもよい。
【０００９】
本発明に係る付け替え容器は、前記解除凸部が、前記回転操作によって前記弾性片を乗り上げさせる傾斜部と、前記回転操作により、前記傾斜部に乗り上げた前記弾性片に当接することで、前記弾性片を前記回転操作の回転方向の反対方向に弾性変形させる押圧部とを有する構成であってもよい。
【００１０】
本発明に係る付け替え容器は、前記回転部材が、前記回転操作により、前記押圧部によって弾性変形させられた前記弾性片に当接することで、前記回転部材の更なる回転を停止させる停止片を有する構成であってもよい。
【発明の効果】
【００１１】
本発明によれば、少ない回転操作で内容器の付け替えが可能であるとともに内容器の形状をシンプルにできる付け替え容器を提供することができる。
【図面の簡単な説明】
【００１２】
【図１】本発明の一実施形態に係る付け替え容器を閉蓋状態で示す縦断面図である。
【図２】（ａ）は、図１に示す外容器を回転操作前の状態で示す上面図であり、（ｂ）は、図１に示す外容器及び内容器を回転操作前の状態で示す縦断面図である。
【図３】（ａ）は、図１に示す外容器を回転操作完了時の状態で示す上面図であり、（ｂ）は、図１に示す外容器及び内容器を回転操作完了時の状態で示す縦断面図である。
【図４】図２（ｂ）の一部拡大図である。
【図５】図３（ｂ）の一部拡大図である。
【図６】図３（ａ）のＡ−Ａ断面図である。
【発明を実施するための形態】
【００１３】
以下、図面を参照して、本発明の実施形態に係る付け替え容器について詳細に例示説明する。
【００１４】
図１に示すように、本実施形態に係る付け替え容器１（以下、容器１ともいう）は、内容器２、外容器３及びキャップ４を有する。内容器２は、内容物を収容する。内容物は、クリーム状の化粧料等であってよいが、これに限定されない。内容器２は、内容物を使い切ったときなどに付け替えられるレフィル用の容器である。内容器２は、一体成形部材であるが、これに限らず、２つ以上の一体成形部材から構成されてもよい。外容器３は、外容器本体５と、外容器本体５に対して中心軸線Ｏを中心に相対的に回転可能（以下、外容器本体５と相対回転可能ともいう）に外容器本体５の内側に保持される回転部材６とを有する。外容器本体５は、一体成形された外部材７と一体成形された内部材８とから構成されるが、これに限らず、１つの一体成形部材から構成されてもよいし、３つ以上の一体成形部材から構成されてもよい。回転部材６は、一体成形部材であるが、これに限らず、２つ以上の一体成形部材から構成されてもよい。キャップ４は、一体成形された外キャップ９、一体成形された内キャップ１０、及び一体成形されたパッキン１１から構成されるが、これに限らず、１つの一体成形部材から構成されてもよいし、４つ以上の一体成形部材から構成されてもよい。容器１を構成する各部材は、合成樹脂製であってよいが、これに限らず、必要に応じて、ゴム、ガラス、金属など、種々の素材を用いてよい。容器１は、キャップ４によって開閉可能な広口の内容物の取出し口を有するジャー容器であるが、これに限らず、例えば、内容器２に収容した液状等の内容物を吐出可能なポンプを有するポンプ付き容器として構成されてもよい。容器１は、内容器２を閉塞可能なキャップ４を有するが、キャップ４を有さない構成としてもよい。
【００１５】
キャップ４は、外容器本体５の外周面に着脱可能な円筒状の装着壁部４ａと、装着壁部４ａの上端を閉塞する天壁部４ｂとを有する。装着壁部４ａは、外容器本体５の外周面に螺合によって着脱可能であるが、これに限らず、外容器本体５の外周面にスナップ嵌合によって着脱可能に構成されてもよい。装着壁部４ａは、外キャップ９及び内キャップ１０から構成される。天壁部４ｂは、外キャップ９、内キャップ１０及びパッキン１１から構成される。外キャップ９の内側に内キャップ１０が位置し、内キャップ１０の内側にパッキン１１が位置する。
【００１６】
上方とは、外容器３に内容器２を収容してキャップ４で内容器２を閉塞した閉蓋状態において、中心軸線Ｏに沿って外容器３の側からキャップ４の側に向かう方向（つまり、図１における上方）を意味し、下方とはその反対方向を意味する。周方向及び径方向とは、閉蓋状態における中心軸線Ｏに関する周方向及び径方向を意味する。縦断面とは、閉蓋状態において中心軸線Ｏを含む平面による断面を意味する。
【００１７】
外容器本体５は、円筒状の周壁部１２と、周壁部１２の下端を閉塞する底壁部１３とを有する。周壁部１２は、底壁部１３から上方に延在する下周壁部１２ａと、下周壁部１２ａの上端から上方に延在するとともに下周壁部１２ａから段差状に縮径した外周面と下周壁部１２ａと連続する内周面とを有する中周壁部１２ｂと、中周壁部１２ｂの上端から上方に延在するとともに中周壁部１２ｂから段差状に縮径した外周面と中周壁部１２ｂと連続する内周面とを有する上周壁部１２ｃとを有する。底壁部１３及び下周壁部１２ａは、それぞれ、外部材７及び内部材８から構成される。中周壁部１２ｂ及び上周壁部１２ｃは、それぞれ、内部材８から構成される。中周壁部１２ｂの外周面は、キャップ４の装着壁部４ａと螺合可能なねじ部を有する。上周壁部１２ｃは、回転部材６の中心軸線Ｏを中心とする円環状の上端部１４を、外容器本体５に対して中心軸線Ｏを中心に相対的に回転可能に保持する。図１及び図２（ａ）に示すように、外容器本体５は、底壁部１３の上面に位置するとともに周方向に等間隔で並ぶ３つの解除凸部１５を有する。解除凸部１５の数は、後述する弾性片１７及び停止片１８と合わせて適宜増減が可能であり、１つであってもよい。図２（ａ）等において、１つの解除凸部１５、弾性片１７及び停止片１８のみに符号を付す。
【００１８】
図１に示すように、回転部材６の上端部１４は、上周壁部１２ｃと嵌合する中心軸線Ｏを中心とする円環状の下向き凹溝を形成する上端部外壁１４ａ、上端部上壁１４ｂ及び上端部内壁１４ｃを有する。回転部材６の上端部１４は、外容器本体５と相対回転可能に上周壁部１２ｃに保持されるように上周壁部１２ｃと嵌合する。上端部外壁１４ａは、上周壁部１２ｃの外周面にスナップ嵌合する。上端部上壁１４ｂ及び上端部内壁１４ｃは、それぞれ、上周壁部１２ｃとの摩擦力を低減するために凸部を介して上周壁部１２ｃに接触する。回転部材６は、上端部内壁１４ｃの下方に位置するとともに上端部内壁１４ｃから連続する内周面及び外周面を有する円筒状の筒壁１６を有する。
【００１９】
図１及び図２（ａ）に示すように、回転部材６は、筒壁１６の下端部から径方向内側に延在するとともに周方向に等間隔で並ぶ３つの弾性片１７を有する。また、回転部材６は、弾性片１７に隣接して筒壁１６の下端部から径方向内側に延在するとともに周方向に等間隔で並ぶ３つの停止片１８を有する。
【００２０】
内容器２は、回転部材６の上端部上壁１４ｂの上面における内周縁部に形成された中心軸線Ｏを中心とする円環状の凹部に配置される、中心軸線Ｏを中心とする円環状のフランジ２ａを有する。また、内容器２は、フランジ２ａの内周縁から垂下する円筒状の筒壁２ｂを有する。内容器２は、筒壁２ｂの下端部を閉塞する底壁２ｃを有する。
【００２１】
図２（ｂ）、図４及び図５に示すように、回転部材６は、内容器２の筒壁２ｂの外周面における上端部と嵌合する嵌合部１９を有する。嵌合部１９は、回転部材６の上端部内壁１４ｃの内周面に位置する。嵌合部１９は、内容器２が外容器３に取り付けられたときに内容器２の筒壁２ｂの外周面とスナップ嵌合するスナップ嵌合部１９ａを有する。また、嵌合部１９は、スナップ嵌合部１９ａの上部に位置するとともに内容器２の筒壁２ｂの外周面と押圧嵌合する押圧嵌合部１９ｂを有する。内容器２は、筒壁２ｂの外周面における上端部に位置する中心軸線Ｏを中心とする円環状の環状突起２０を有する。スナップ嵌合部１９ａは、環状突起２０とスナップ嵌合する凹溝によって構成される。押圧嵌合部１９ｂは、環状突起２０と押圧嵌合する下向き円錐面形状又は円筒面形状の内周面によって構成される。スナップ嵌合部１９ａ及び押圧嵌合部１９ｂの形状は、筒壁２ｂの外周面の形状と合わせて適宜変更可能である。嵌合部１９は、スナップ嵌合部１９ａ又は押圧嵌合部１９ｂを有さない構成であってもよい。
【００２２】
回転部材６の上端部外壁１４ａは、回転部材６を外容器本体５に対して相対的に回転させる回転操作を受ける操作部２１として機能する。操作部２１は、内容器２を外容器３から取り外すために、上面視で反時計回り方向となる第１回転方向Ｄ１の回転操作を受ける。
【００２３】
図２（ａ）に示すように、弾性片１７は、筒壁２ｂの下端部から径方向内側に延在するとともに第１回転方向Ｄ１に突出するように弓形に湾曲する形状である。図２（ａ）〜図３（ｂ）に示すように、弾性片１７は、第１回転方向Ｄ１の回転操作によって解除凸部１５に乗り上げることで、嵌合部１９と嵌合した内容器２の底壁２ｃを押し上げて、スナップ嵌合部１９ａと内容器２とのスナップ嵌合を解除する。押圧嵌合部１９ｂは、弾性片１７によって内容器２が押し上げられることにより内容器２と押圧嵌合して、押し上げられた内容器２の位置を保持する。
【００２４】
図２（ａ）、図３（ａ）及び図６に示すように、解除凸部１５は、第１回転方向Ｄ１の回転操作によって弾性片１７を乗り上げさせる傾斜部１５ａと、第１回転方向Ｄ１の回転操作により、傾斜部１５ａに乗り上げた弾性片１７に当接することで、弾性片１７を第１回転方向Ｄ１の反対方向である第２回転方向Ｄ２に弾性変形させる押圧部１５ｂとを有する。傾斜部１５ａは、第１回転方向Ｄ１に向けて上方に傾斜する傾斜面によって構成される。押圧部１５ｂは、傾斜部１５ａにおける第１回転方向Ｄ１の端部に位置するとともに上方に突出する凸部によって構成される。
【００２５】
図２（ａ）に示すように、停止片１８は、筒壁２ｂの下端部から径方向内側に延在するとともに径方向内側に向けて周方向幅が暫減する形状である。図２（ａ）〜図３（ｂ）に示すように、停止片１８は、第１回転方向Ｄ１の回転操作により、押圧部１５ｂによって弾性変形させられた弾性片１７に当接することで、回転部材６の更なる回転を停止させる。また、停止片１８は、第１回転方向Ｄ１の回転操作の解除により、弾性片１７の復元力によって回転部材６の回転角度位置が戻ったときに、隣の解除凸部１５の近傍に位置する。したがって、内容器２が外容器３に取り付けられた状態において、回転部材６が外容器本体５に対して相対的に第２回転方向Ｄ２に回転できる範囲を、停止片１８と隣の解除凸部１５との当接によって規制することができる。このように回転部材６の遊動範囲を抑制することにより、内容器２を取り外すために必要となる第１回転方向Ｄ１の回転操作を低減することができる。
【００２６】
内容器２の付け替えに際しては、使用者は、まず、図２（ａ）、（ｂ）に示す内容器２の取り付け状態から、操作部２１を第１回転方向Ｄ１に回転操作する。この回転操作により、弾性片１７が、解除凸部１５に乗り上げることで、嵌合部１９と嵌合した内容器２を押し上げて、スナップ嵌合部１９ａと内容器２とのスナップ嵌合を解除する。回転操作を解除すると、弾性片１７の復元力によって回転部材６の回転角度位置が戻る。このとき、押圧嵌合部１９ｂにより、押し上げられた内容器２の位置が保持されているので、使用者は容易に内容器２のフランジ２ａを摘まんで内容器２を外容器３から取り出すことができる。他の内容器２を取り付ける際には、上述のとおり回転部材６の回転角度位置が戻っているので、使用者は他の内容器２を外容器３の内側に押し込むだけで、嵌合部１９と嵌合させて取り付け操作を完了することができる。
【００２７】
前述した本実施形態は、本発明の実施形態の一例にすぎず、発明の要旨を逸脱しない範囲で種々変更可能であることはいうまでもない。
【符号の説明】
【００２８】
１  付け替え容器
２  内容器
２ａ  フランジ
２ｂ  筒壁
２ｃ  底壁
３  外容器
４  キャップ
４ａ  装着壁部
４ｂ  天壁部
５  外容器本体
６  回転部材
７  外部材
８  内部材
９  外キャップ
１０  内キャップ
１１  パッキン
１２  周壁部
１２ａ  下周壁部
１２ｂ  中周壁部
１２ｃ  上周壁部
１３  底壁部
１４  回転部材の上端部
１４ａ  上端部外壁
１４ｂ  上端部上壁
１４ｃ  上端部内壁
１５  解除凸部
１６  筒壁
１７  弾性片
１８  停止片
１９  嵌合部
１９ａ  スナップ嵌合部
１９ｂ  押圧嵌合部
２０  環状突起
２１  操作部
Ｏ  中心軸線
Ｄ１  第１回転方向
Ｄ２  第２回転方向
【図１】
2020138794.tif 000003
【図２】
2020138794.tif 000004
【図３】
2020138794.tif 000005
【図４】
2020138794.tif 000006
【図５】
2020138794.tif 000007
【図６】
2020138794.tif 000008